(57)【要約】      （修正有）【課題】布製折りジャバラの使用において、ガイドレールを設置するスペースが無い場合などで、布製折りジャバラが自重により重力方向に垂れ下がることなく、伸縮自在に機能を発揮させるパンタガイド式折りジャバラを提供する。【解決手段】本来機械本体側に設置されるジャバラ摺動用のガイドレールの代わりに、パンタグラフ式連鎖装置５をガイドとして布製折りジャバラ１のスライドプレート２を摺動させる。【選択図】図３
0003220794.tif 000002
【実用新案登録請求の範囲】
【請求項１】
織り布をプリーツ状に形成した布製カバーの山部を、スライドプレート2の外周面に沿って固定して成る布製折りジャバラ１に於いて、その両端のジャバラ固定部3及びジャバラ固定部4の軸固定部7に、所用の長さに加工された矩形平面の金属、或いは樹脂製板材を組み合わせて成るパンタグラフ式連鎖装置5を、前記スライドプレート2の切り欠き部分6の内側部分に所定のクリアランスを設けて設置することを特徴としたパンタガイド式折りジャバラ
【請求項２】
前記パンタグラフ式連鎖装置5に於いて、少なくとも2枚重ねたプレート5-1を係止するためのセンター部軸穴5-2、或いはサイド部軸穴5-3、或いは其の両方の軸穴の片側を皿取り加工を施し、皿ネジ形状の金属、或いは樹脂製ピン5-4にて前記少なくとも2枚重ねたプレート5-1に出っ張り無く係止することを特徴とした請求項1に記載のパンタガイド式折りジャバラ
【請求項３】
前記パンタグラフ式連鎖装置5の両端のサイド部軸穴5-5とジャバラ固定部3及びジャバラ固定部4の軸固定部7を夫々金属、或いは樹脂製ピンにて係止し、もう片方のサイド部軸穴5-6をジャバラ固定部3及びジャバラ固定部4に設けた軸固定部8の長穴部分にガイドピンにて係止することを特徴とした請求項1に記載のパンタガイド式折りジャバラ
【考案の詳細な説明】
【技術分野】
【０００１】
本考案は、主として工作機械の保護カバー、その他一般産業機械の保護カバーとして活用するものに関する。
【背景技術】
【０００２】
従来から、図1の布製折りジャバラの全体斜視図に示す如く、プリーツ加工を施した、熱可塑性樹脂をコートしたカバー布の山部に、熱可塑性樹脂製薄厚板よりなる、コの字形プレートの外周面を溶着した布製折りジャバラ1が、一般的に用いられている。
前記布製折りジャバラ1は、スライドプレート2をガイドレール9に摺動させることにより安定した状態で工作機械等の保護カバーとして伸縮自在に機能を発揮することができる。
しかしながら、前記布製折りジャバラ1を設置する場所によっては前記ガイドレール9を設置するスペースが無い場合や、あったとしても十分に前記布製折りジャバラ1を支える部分に設置できない場合がある。その場合では図2の従来品の布製折りジャバラの断面図に示す如く布製折りジャバラ1は自重により重力方向に垂れ下がり、伸縮自在に機能を発揮させる保護カバーとして用いることは困難であった。
【考案の開示】
【考案が解決しようとする課題】
【０００３】
布製折りジャバラの使用において、ガイドレールを設置するスペースが無い場合や、あったとしても十分に布製折りジャバラを支える部分に設置できない場合があるため、布製折りジャバラが自重により重力方向に垂れ下がることなく、伸縮自在に機能を発揮させる布製折りジャバラの開発が必要であった。
【課題を解決するための手段】
【０００４】
本考案はかかる問題を解決するため鋭意研究し得られたもので、パンタガイド式折りジャバラに関するものであり、本来機械本体側に設置されるジャバラ摺動用のガイドレールの代わりに、パンタグラフ式連鎖装置5をガイドとして布製折りジャバラ1のスライドプレート2を摺動させることによって問題を解決している。
【考案の効果】
【０００５】
前記布製折りジャバラ1のスライドプレート2の切り欠き部分6内側に所定のクリアランスを設けてパンタグラフ式連鎖装置5を設置することで、前記布製折りジャバラ1が伸縮する際にスライドプレート2がパンタグラフ式連鎖装置5に沿って摺動することで布製折りジャバラ1が安定した状態で、工作機械等の保護カバーとして伸縮自在に機能を発揮することができた。
【図面の簡単な説明】
【０００６】
【図１】布製折りジャバラの全体斜視図
【図２】従来品の布製折りジャバラの断面図
【図３】請求項1に記載のパンタガイド式折りジャバラの構造に関する平面図
【図４】請求項1に記載のパンタガイド式折りジャバラの構造に関する平面図で、パンタグラフ式連鎖装置の両端の軸固定部分の一端をスライド式にして構成したもの
【図５】請求項1に記載のパンタガイド式折りジャバラの構造に関する平面図で、布製折りジャバラの長手方向を垂直に立て、下側に設けたガイドレールで自重を受けて使用したもの
【実施例】
【０００７】
請求項1に記載の布製折りジャバラの全体斜視図を図1に示す。図3にパンタガイド式折りジャバラに関する平面図を示す。
【０００８】
図3はパンタガイド式折りジャバラに関するものであり、布製折りジャバラ1の両端のジャバラ固定部3及びジャバラ固定部4に、所用の長さに加工された矩形平面の金属、或いは樹脂製板材を組み合わせて成るパンタグラフ式連鎖装置5を、前記スライドプレート2の切り欠き部分6内側に所定のクリアランスを設けて設置することでパンタガイド式折りジャバラは構成される。
【０００９】
本来機械本体側に設置されるジャバラ摺動用のガイドレールの代わりに、パンタグラフ式連鎖装置5をガイドとして布製折りジャバラ1のスライドプレート2を摺動させることによって、布製折りジャバラ1が自重により重力方向に垂れ下がることなく、伸縮自在に機能を発揮させることができる。
【００１０】
図４は図3と同じく本考案の主体となすパンタガイド式折りジャバラの構造に関するもので、パンタグラフ式連鎖装置5の両端の軸固定部分の一端をスライド式にした構成で実施した例であり、パンタグラフ式連鎖装置5の両端のサイド部軸穴5-5とジャバラ固定部3及びジャバラ固定部4の軸固定部7を夫々金属、或いは樹脂製ピンにて係止し、もう片方のサイド部軸穴5-6をジャバラ固定部3及びジャバラ固定部4に設けた軸固定部8の長穴部分にガイドピンにて係止し長穴に沿ってスライドさせることでパンタグラフ式連鎖装置5を2つの支持点でジャバラ固定部3及びジャバラ固定部4に連結可能としたものである。
【００１１】
図5は図3と同じく本考案の主体となすパンタガイド式折りジャバラの構造に関するもので、布製折りジャバラ1の長手方向を垂直に立て、下側に設けたガイドレール9で自重を受けて使用した例であり、この場合もパンタグラフ式連鎖装置5をガイドとして布製折りジャバラ1のスライドプレート2を摺動させることによって、下側に設けたガイドレール9を支点として布製折りジャバラ1が倒れようとするのを抑えることができる。
【符号の説明】
【００１２】
1  布製折りジャバラ
2  スライドプレート
3  ジャバラ固定部
4  ジャバラ固定部
5  パンタグラフ式連鎖装置
5-1  プレート
5-2  センター部軸穴
5-3  サイド部軸穴
5-4  皿ネジ形状の金属、或いは樹脂製ピン
5-5  サイド部軸穴
5-6  サイド部軸穴
6  切り欠き部分
7  軸固定部
8  軸固定部
9  ガイドレール
【図１】
0003220794.tif 000003
【図２】
0003220794.tif 000004
【図３】
0003220794.tif 000005
【図４】
0003220794.tif 000006
【図５】
0003220794.tif 000007